【手続補正書】
【提出日】令和2年10月2日(2020.10.2)
【手続補正１】
【補正対象書類名】特許請求の範囲
【補正対象項目名】全文
【補正方法】変更
【補正の内容】
【特許請求の範囲】
【請求項１】
水耕栽培装置において、
底面および開放上面を含む容器と、
前記容器内の流体リザーバと、
前記流体リザーバ内に位置決めされ、入口および出口を含むポンプと、
複数の管部分および前記管部分の１つに接続された弁と、
前記ポンプ出口および前記弁と流体連通する流体流出チューブと、
複数の噴出口であって、前記管部分の１つまたは複数に接続され、それにより、前記弁から前記管部分を通して流れる流体は、前記複数の噴出口の少なくとも１つを通して排出される、複数の噴出口と、
前記開放上面の下で前記容器に全体が嵌まるように構成され、複数の開口部を相互接続する支持ビームを含む支持構造体と、
前記開放上面で前記支持構造体の上に嵌るように構成された少なくとも１つのカバープレートと、を含み、
前記支持構造体が前記容器内に配置され、前記容器および支持構造体が複数の穴を規定し、当該複数の穴は前記支持ビームにより前記複数の開口部から分離され、前記少なくとも１つのカバープレートが前記複数の穴の少なくとも１つを覆い、前記複数の開口部は前記少なくとも１つのカバープレートによっては覆われていないことを特徴とする水耕栽培装置。
【請求項２】
請求項１に記載の水耕栽培装置において、前記複数の管部分の各々は、前記複数の噴出口の各々によって別の管部分に接続されることを特徴とする水耕栽培装置。
【請求項３】
請求項１に記載の水耕栽培装置において、前記支持構造体の前記複数の開口部の１つ以上に対応する複数の切取部を含むことを特徴とする水耕栽培装置。
【請求項４】
請求項１に記載の水耕栽培装置において、前記支持構造体における前記開口部のうちの任意のものに位置決め可能である位置変更可能な流体レベルインジケータチューブであって、流体レベルインジケータを含む流体レベルインジケータチューブをさらに含むことを特徴とする水耕栽培装置。
【請求項５】
請求項３に記載の水耕栽培装置において、前記複数の切取部のうちの任意のものに嵌まるように構成された少なくとも１つの栓をさらに含むことを特徴とする水耕栽培装置。
【請求項６】
請求項１に記載の水耕栽培装置において、前記支持構造体における前記複数の開口部のうちの任意のものに嵌まるようなサイズおよび形状の少なくとも１つのバスケットをさらに含むことを特徴とする水耕栽培装置。
【請求項７】
請求項１に記載の水耕栽培装置において、前記支持構造体は、前記複数の噴出口の１つまたは複数のための支持体をさらに含むことを特徴とする水耕栽培装置。
【請求項８】
請求項１に記載の水耕栽培装置において、前記複数の噴出口は、前記支持構造体の下方の前記容器の内面の近くの前記流体リザーバの周縁部の周りに位置することを特徴とする水耕栽培装置。
【請求項９】
請求項６に記載の水耕栽培装置において、前記複数の噴出口の各々は、前記噴出口から排出される流体が少なくとも１つの前記バスケットにぶつかるように向けられることを特徴とする水耕栽培装置。
【請求項１０】
請求項１に記載の水耕栽培装置において、前記弁に入る流体を前記流体流出チューブから前記容器の外部の位置まで運ぶように位置決め可能である、前記弁に接続されたドレインチューブをさらに含むことを特徴とする水耕栽培装置。
【請求項１１】
請求項１に記載の水耕栽培装置において、前記流体リザーバの底部に位置する１つまたは複数の突起であって、前記支持構造体における前記開口部の１つまたは複数の下に位置し、かつ前記支持構造体における前記開口部の少なくとも１つに挿入されたバスケットから生長する植物のための１つまたは複数の支持柱のために支持を提供するように構成される１つまたは複数の突起をさらに含むことを特徴とする水耕栽培装置。
【請求項１２】
水耕栽培装置において、
流体リザーバとして使用される内部容積および開放上面を含む容器と、
前記流体リザーバの底部に位置するポンプと、
支持ビームを含む支持構造体であって、前記支持ビームが、前記容器の上部で前記内部容積の全体に配置された５つの開口部に構造的に連結されている支持構造体と、
前記ポンプに流体結合され、かつ前記支持構造体の下方で前記容器の周縁部の周りに位置する複数の流体噴出口と、
前記５つの開口部のうちの任意のものに位置決め可能である、流体レベルインジケータを含む位置変更可能な流体レベルインジケータチューブと、
前記開放上面で前記支持構造体の上に嵌るように構成された１以上の部分を含むカバーと、を含み、
前記支持構造体が前記容器内に配置され、前記容器および支持構造体が複数の穴を規定し、当該複数の穴は前記支持ビームにより前記５つの開口部から分離され、前記カバーが前記複数の穴の少なくとも１つを覆い、前記５つの穴は前記カバーによっては覆われていないことを特徴とする水耕栽培装置。
【請求項１３】
請求項１２に記載の水耕栽培装置において、前記支持構造体における前記５つの開口部のうちの任意のものに嵌まるようなサイズおよび形状の少なくとも１つのバスケットをさらに含むことを特徴とする水耕栽培装置。
【請求項１４】
請求項１２に記載の水耕栽培装置において、前記カバーが、前記支持構造体の５つの開口部に対応する５つのカバーの開口部を規定していることを特徴とする水耕栽培装置。
【請求項１５】
請求項１４に記載の水耕栽培装置において、前記カバーにおける前記５つの開口部のうちの任意のものに嵌まるように構成された少なくとも１つの栓をさらに含むことを特徴とする水耕栽培装置。
【請求項１６】
請求項１２に記載の水耕栽培装置において、前記複数の流体噴出口は、切換弁を介して前記ポンプに流体結合されることを特徴とする水耕栽培装置。
【請求項１７】
請求項１６に記載の水耕栽培装置において、前記切換弁は、少なくとも２つの位置を有し、前記２つの位置は、前記複数の噴出口に流体を向けることと、前記容器の外部の位置に流体を運ぶように構成されたドレインチューブに流体を向けることとを含むことを特徴とする水耕栽培装置。
【請求項１８】
水耕栽培装置において、
流体リザーバとして使用される内部容積および開放上面を含む容器と、
コネクタチューブを介してポンプに流体接続された切換弁と、
複数の噴出口によって互いに接続された複数の管部分であって、少なくとも１つの管部分は、前記切換弁に接続される、複数の管部分と、
前記容器の外部の位置まで流体を向けるように構成される、前記弁に接続された位置変更可能な管部分と、
複数の開口部を相互接続する水平支持ビームを含む支持構造体であって、前記複数の噴出口に対して支持をさらに提供する支持構造体と、
前記開放上面で前記支持構造体の上に嵌るように構成された少なくとも１つのカバープレートと、を含み、
前記支持構造体が前記容器に配置された時に、前記容器および支持構造体が複数の穴を規定し、当該複数の穴は前記水平支持ビームにより前記複数の開口部から分離され、前記少なくとも１つのカバープレートが前記複数の穴の少なくとも１つを覆い、前記複数の開口部は前記少なくとも１つのカバープレートによっては覆われていないことを特徴とする水耕栽培装置。
【請求項１９】
請求項１８に記載の水耕栽培装置において、前記複数の噴出口の各々は、前記複数の開口部の各々に隣接して位置することを特徴とする水耕栽培装置。
【請求項２０】
水耕栽培装置において、
閉鎖底部および開放上部を有する、流体の容積を収容する手段と、
１つまたは複数の開口部を有する、前記開放上部を覆う手段と、
前記流体の容積内に位置し、かつ一連の相互接続された管および噴出口を通して前記流体を循環させるように構成されている、前記流体を循環させる手段と、
植物の水耕栽培のための複数の容器を支持する手段であって、全体が前記開放上部の下に位置し、前記覆う手段の下に位置し、かつ前記１つまたは複数の開口部の直下に位置する、支持する手段と、
前記１つまたは複数の開口部のうちの任意のものに位置決め可能である、前記流体の容積を測定する手段と、
前記支持する手段の周縁部の近くに位置する前記複数の容器の各々に流体を噴霧する手段と、を含むことを特徴とする水耕栽培装置。